(57)【要約】【課題】蓋体を開ける際の操作感を軽くすることが可能な化粧料容器を提供する。【解決手段】化粧料を収容する容器本体３と、容器本体を開閉する蓋体５と、容器本体に、その縁辺部に沿って形成されたスリット９を介して、当該容器本体に対し傾動可能に設けられた弾性操作部１０と、容器本体に、スリット内に位置させて形成された係合突起１１と、蓋体に形成され、スリット内で係合突起と係脱自在に係合されて蓋体を閉止状態とするフック片１３と、弾性操作部にスリット内へ突出させて設けられ、弾性操作部の傾動に伴って一体に回動されてフック片を係合突起から離脱させる方向へ押圧するアーム部１６とを備えた。アーム部に、フック片を係合突起から離脱する方向へ案内する案内部１８を形成した。【選択図】          図３
2004209028.tif 000002
【特許請求の範囲】
【請求項１】
化粧料を収容する容器本体と、該容器本体を開閉する蓋体と、上記容器本体に、その縁辺部に沿って形成されたスリットを介して、当該容器本体に対し傾動可能に設けられた弾性操作部と、上記容器本体に、上記スリット内に位置させて形成された係合部と、上記蓋体に形成され、上記スリット内で上記係合部と係脱自在に係合されて該蓋体を閉止状態とするフック片と、上記弾性操作部に上記スリット内へ突出させて設けられ、該弾性操作部の傾動に伴って一体に回動されて上記フック片を上記係合部から離脱させる方向へ押圧するアーム部とを備えたことを特徴とする化粧料容器。
【請求項２】
前記アーム部に、前記フック片を前記係合部から離脱する方向へ案内する案内部を形成したことを特徴とする請求項１に記載の化粧料容器。
【発明の詳細な説明】
【０００１】
【発明の属する技術分野】
本発明は、蓋体を開ける際の操作感を軽くすることが可能な化粧料容器に関する。
【０００２】
【従来の技術】
従来、この種の化粧料容器として、特許文献１に開示されたものが知られている。この化粧料容器では、容器本体の前端縁にその両端部間にわたってスリットを形成し、このスリットを介して容器本体の前端縁に可撓変形可能に帯状プッシュピースを両端支持させている。また、帯状プッシュピースと相対向させて、スリット内に被係合部を形成し、他方、蓋体には、スリット内へ挿入されて被係合部と係合する係合部および帯状プッシュピースに臨む傾斜面部を有する突部を形成している。さらに、帯状プッシュピースには、傾斜面部に摺接する面取り部を形成している。
【０００３】
そして、帯状プッシュピースをスリットに向かって押し込むと、帯状プッシュピースは、容器本体の両端部を支点として弓状に可撓変形し、さらに帯状プッシュピースを押圧すると、蓋体の突部の傾斜面部に当接した面取り部が傾斜面部を摺動しつつ進入していき、これにより突部の傾斜面部を上方に押し上げて被係合部と係合部との係合を解除するようになっていた。
【０００４】
【特許文献１】
特開平１１−３３２６３９号公報
【０００５】
【発明が解決しようとする課題】
ところで、上記従来の化粧料容器にあっては、係合部と被係合部との係合を解除して蓋体を開ける際の操作感が重いという課題があった。
【０００６】
具体的に説明すると、上述したように、スリットによって容器本体に一体的に帯状プッシュピースを形成して、この帯状プッシュピースの両端を容器本体に支持させる構造を採用し、被係合部と係合部との係合を解除する際には、この帯状プッシュピースを押圧して容器本体に対し弓状に可撓変形させ、この可撓変形によって面取り部を突部の傾斜面部に対してスライド式に摺動させるようにし、この摺動動作によって突部を押し上げるようにしていたため、プッシュピースを押圧する操作力が突部の押し上げと、面取り部の突部に対するスライド移動とに分散され、この結果、係合を解除する際の帯状プッシュピースの操作感が重かった。
【０００７】
本発明は上記従来の課題に鑑みて創案されたものであって、蓋体を開ける際の操作感を軽くすることが可能な化粧料容器を提供することを目的とする。
【０００８】
【課題を解決するための手段】
本発明にかかる化粧料容器は、化粧料を収容する容器本体と、該容器本体を開閉する蓋体と、上記容器本体に、その縁辺部に沿って形成されたスリットを介して、当該容器本体に対し傾動可能に設けられた弾性操作部と、上記容器本体に、上記スリット内に位置させて形成された係合部と、上記蓋体に形成され、上記スリット内で上記係合部と係脱自在に係合されて該蓋体を閉止状態とするフック片と、上記弾性操作部に上記スリット内へ突出させて設けられ、該弾性操作部の傾動に伴って一体に回動されて上記フック片を上記係合部から離脱させる方向へ押圧するアーム部とを備えたことを特徴とする。
【０００９】
容器本体に対して傾動可能な弾性操作部の傾動に伴って、一体的にアーム部が回動し、これによってフック片を係合部から離脱させる方向へ押圧するようにしていて、フック片を係合部から離脱させるのに、容器本体に対して傾動する弾性操作部と、この弾性操作部から突出されて一体に回動するアーム部とによる梃子作用を利用して、操作力のほとんどすべてをフック片の離脱操作に寄与させることが可能であり、フック片を係合部から離脱させる際の操作感を軽くし得る。
【００１０】
また、前記アーム部に、前記フック片を前記係合部から離脱する方向へ案内する案内部を形成したことを特徴とする。アーム部でフック片を係合部から離脱させる方向へ押圧しつつ、さらに案内部でフック片を離脱方向へ案内するようにしていて、フック片の係合部からの離脱動作を円滑化し得る。
【００１１】
【発明の実施の形態】
以下に、本発明にかかる化粧料容器の好適な一実施形態を、添付図面を参照して詳細に説明する。本実施形態にかかる化粧料容器１は図１〜図５に示すように、化粧料Ｐを収容する化粧料収納部２がその左右幅方向に並べて２つ形成された平面外形輪郭が矩形状の合成樹脂製容器本体３と、容器本体３の前後方向後端にヒンジ４を介して回動可能に連結され、容器本体３にこれを開閉自在に閉じるべくその上方から被せられる平面外形輪郭が矩形状の合成樹脂製蓋体５とから主に構成される。
【００１２】
ヒンジ４は、容器本体３の後端から一対突設されたヒンジ片６間に、蓋体５の後端から垂下されたヒンジブロック７が挟み込まれ、これらヒンジブロック７からヒンジ片６にわたって、容器本体３の左右幅方向にヒンジピン８が挿入されることで構成される。図示例にあっては、容器本体３および蓋体５はともに平面外形輪郭が矩形状であるが、これに限らず、円形状や多角形状であっても良いことはもちろんである。
【００１３】
容器本体３には、その縁辺部の一部である前後方向前端にこれに沿って、当該容器本体３を上下方向に貫通するスリット９が形成される。このスリット９は、容器本体３の左右幅方向ほぼ全幅にわたって長く形成される。そしてこのスリット９により、容器本体３の前端には、容器本体の前後方向へ折り曲げられた形態の両端１０ａ，１０ａが当該容器本体３に一体的に連結された帯状の弾性操作部１０が設けられる。この弾性操作部１０は、容器本体３に両端支持されることにより、水平方向へ弾性変形可能であるとともに、また当該容器本体３に対して傾動可能に、弾性的にねじり変形されるようになっている。
【００１４】
また、容器本体３には、スリット９内に弾性操作部１０と相対向させて、係合部となる係合突起１１が突出させて形成される。係合突起１１は具体的には、容器本体３上部であってかつ当該容器本体３の左右幅方向ほぼ中央に位置される。この係合突起１１は、その上面および下面がテーパ面１２で形成されて、先端へ向かって先細りに形成される。
【００１５】
他方、蓋体５には、その前端に係合突起１１の形成位置に対応する位置から垂下させて、スリット９内に挿抜自在に挿入されるフック片１３が形成される。このフック片１３は、スリット９内にその上方から中程へ達する長さで形成される。そしてこのフック片１３の下部には、スリット９内で係合突起１１と係脱自在に係合される係合突部１４が係合突起１１に向かって突出させて形成され、係合突部１４が係合突起１１に係合されることにより、蓋体５による容器本体３の閉止状態が維持されるようになっている。
【００１６】
この係合突部１４も係合突起１１と同様に、その上面および下面がテーパ面１５で形成されて先端へ向かって先細りに形成され、これらテーパ面１２，１５により係合突起１１に対する係合突部１４の上方および下方からの乗り越え動作がスムーズに行われるようになっている。
【００１７】
そして弾性操作部１０には、フック片１３や係合突起１１の下方において、容器本体３との間に広い隙間Ｓが形成されるように、上下方向ほぼ中央位置からスリット９内へ突出させてアーム部１６が設けられる。アーム部１６は、係合突起１１の両側であって、かつ係合突部１４が係合突起１１と係合しているときにフック片１３の下方に位置するようにして、弾性操作部１０に一体的に一対形成される。換言すれば、フック片１３は、これら一対のアーム部１６間にわたって蓋体５の左右幅方向に幅広に形成されている。
【００１８】
本実施形態にあっては、スリット９内方へ突出されたアーム部１６の先端は、フック片１３の下端に面で当接する平坦な上面１７を有する板状に形成される一方で、その反対側の基端は相当の厚みをもって弾性操作部１０に剛に接合され、さらにこれら基端と先端との間には、フック片１３を係合突起１１から離脱する方向、すなわち上方へ向かって案内する案内部として、先端から一連に基端へ向かって徐々に上方へ傾斜された傾斜面１８が形成される。
【００１９】
そしてアーム部１６は、その下方の隙間Ｓを利用して弾性操作部１０がねじり変形されて傾動されるのに伴って一体的に回動され、これら弾性操作部１０の容器本体３に対する傾動とアーム部１６の回動とによる梃子作用によって、フック片１３の係合突部１４を係合突起１１から離脱させるべく、その先端の上面１７でフック片１３の下端を上方へ押圧するようになっている。そしてまた、アーム部１６の先端から連続する傾斜面１８は、アーム部１６の回動によって押し上げられながら先端の上面１７よりその上へと乗り上げてくるフック片１３の下端を、その傾斜に沿ってさらに押し上げていくようになっている。
【００２０】
次に、本実施形態の化粧料容器１の作用について説明すると、蓋体５を開けるときには、弾性操作部１０をスリット９内方へ向けて押圧操作する。弾性操作部１０をスリット９に向かって押し込んでいくと図４に示すように、アーム部１６上方にフック片１３や係合突起１１が位置されていて水平方向には押し込みにくい一方で、アーム部１６下方の隙間Ｓへはスムーズに押し込まれて、弾性操作部１０は容器本体３に対して傾動される。弾性操作部１０が傾動されるとそれに従ってアーム部１６は一体に回動され、この弾性操作部１０の容器本体３に対する接合部分を支点とする梃子作用により、アーム部１６の上面１７は、係合突部１４が係合突起１１をそれらのテーパ面１２，１５を利用して乗り越えるように、フック片１３の下端を容器本体３前方へ引き出すように押圧する。
【００２１】
そしてさらに、係合突部１４が係合突起１１から離脱していく最終段階で、傾斜面１８がさらにフック片１３を上方に向かって押し上げて係合突部１４が係合突起１１を乗り越えていくことを助け、これにより係合突部１４が係合突起１１を乗り越えて離脱する。係合突部１４が係合突起１１から離脱すると図５に示すように、弾性操作部１０は、水平方向への移動に対する抵抗が減少してスムーズに押し込まれることとなり、この水平方向への押し込みに伴って傾斜面１８がフック片１３をさらに上方へ押し上げる。
【００２２】
その後は、押し上げられた蓋体５と容器本体３との間に指などを差し込んで蓋体５を押し上げることで、容器本体３を開放することができる。弾性操作部１０は、押圧操作力を取り去れば、その弾性により元の位置に復原する。
【００２３】
他方、蓋体５を閉じる際には、フック片１３をスリット９内へ押し込めば、テーパ面１２，１５を利用して係合突部１４が係合突起１１を乗り越えて係合し、これにより蓋体５による容器本体３の閉止状態が維持されることになる。
【００２４】
以上説明したように本実施形態にかかる化粧料容器１にあっては、容器本体３に対して傾動可能な弾性操作部１０の傾動に伴って一体的にアーム部１６が回動し、これによってフック片１３を係合突起１１から離脱させる方向へ押圧するようにしていて、フック片１３を係合突起１１から離脱させるのに、容器本体３に対して傾動する弾性操作部１０と、この弾性操作部１０から突出されて一体に回動するアーム部１６とによる梃子作用を利用して、操作力のほとんどすべてをフック片１３の離脱操作に寄与させることができ、軽い操作力でフック片１３を係合突起１１から離脱させることができ、蓋体５を開ける際の操作性を向上させることができる。
【００２５】
また、アーム部１６で係合突起１１から離脱する方向へ押圧されるフック片１３を、傾斜面１８でさらに離脱方向へ案内するようにしたので、フック片１３の係合突起１１からの離脱動作を円滑化することができる。
【００２６】
図６には、上記実施形態の変形例が示されている。この実施形態は、スリット９の両端９ａを容器本体３の左右幅方向両端から後方へ向かって延長し、これによって容器本体３の前後方向へ向かって折り曲げられた形態の弾性操作部１０の両端１０ａを延長するようにしたもので、このような構成によれば弾性操作部１０のねじり変形性能を高めることができ、水平方向への押圧操作性を劣化させることなく弾性操作部１０の傾動性を向上させて、より軽い操作力で弾性操作部１０を押圧操作してフック片１３を係合突起１１から離脱させることができる。
【００２７】
上記実施形態にあっては、アーム部１６を有する弾性操作部１０や係合突起１１、フック片１３を化粧料容器１の前後方向前端に備える場合を例にとって説明したが、これに限らず化粧料容器１の左右幅方向の一方もしくは双方に備えるようにしても良い。また、蓋体５についても、ヒンジ４によって回動される形態のものに限られることはない。
【００２８】
【発明の効果】
以上要するに、本発明にかかる化粧料容器にあっては、蓋体を開ける際の操作感を軽くすることができる。
【図面の簡単な説明】
【図１】本発明にかかる化粧料容器の好適な一実施形態を示す斜視図である。
【図２】図１に示した化粧料容器の平面図である。
【図３】図１に示した化粧料容器の要部拡大側断面図である。
【図４】図１の化粧料容器の弾性操作部の操作開始段階を示す要部拡大側断面図である。
【図５】図１の化粧料容器の弾性操作部の操作最終段階を示す要部拡大側断面図である。
【図６】本発明にかかる化粧料容器の変形例を示す要部拡大平面図である。
【符号の説明】
１  化粧料容器                      ３  容器本体
５  蓋体                            ９  スリット
１０  弾性操作部                    １１  係合突起
１３  フック片                      １６  アーム部
１８  傾斜面                        Ｐ  化粧料
【図１】
2004209028.tif 000003
【図２】
2004209028.tif 000004
【図３】
2004209028.tif 000005
【図４】
2004209028.tif 000006
【図５】
2004209028.tif 000007
【図６】
2004209028.tif 000008